(57)【要約】【課題】  主電源３２０が動作しているときのシステクコントローラ１０１へ供給される電力の損失を減少させる。【解決手段】  主電源３２０と接続点３０３との間に設けられる電界効果トランジスタ３２２を、ソース端子が接続点３３０側に、ドレイン端子が主電源３２０側になるように配置する。【選択図】  図３
2014131466.tif 000002
【特許請求の範囲】
【請求項１】
通常電力モードと、前記通常電力モードよりも消費電力が小さい省電力モードとで動作する機器の電力供給回路であって、
前記機器が前記通常電力モードで動作するときに前記機器へ電力を供給する第１の電源と、
前記第１の電源よりも電力供給能力が低く、前記第１の電源に並列に接続され、少なくとも前記機器が前記省電力モードで動作するときに、前記機器へ電力供給する第２の電源と、
前記第１の電源からの電力と前記第２の電源からの電力とが共通の接続点を介して供給される制御手段と、
前記第１の電源と前記接続点との間に接続され、前記制御手段へ供給される電力を制御するスイッチ素子と、
を備え、前記スイッチ素子は、そのソース端子とドレイン端子の間にダイオードを有し、前記接続点から前記第１の電源の方向へ電流が流れること防止するように前記スイッチ素子のドレイン端子が前記第１の電源側に接続され、前記スイッチ素子のソース端子が前記接続点側に接続されることを特徴とする電力供給回路。
【請求項２】
前記スイッチ素子はＰチャネル型の電界効果トランジスタであることを特徴とする請求項１に記載の電力供給回路。
【請求項３】
前記スイッチ素子は前記制御手段からの信号により制御されることを特徴とする請求項１または２に記載の電力供給回路。
【請求項４】
更に、前記第１の電源に供給される交流電圧を遮断するための遮断手段を有し、
前記制御手段は、前記機器が前記省電力モードで動作するときに前記遮断手段により前記第１の電源に供給される交流電圧を遮断させることを特徴とする請求項１〜３の何れか１項に記載の電力供給回路。
【請求項５】
前記第２の電源と前記接続点との間に接続され、前記制御手段へ供給される電力を制御する第２のスイッチ素子と、
前記第２の電源と前記接続点との間に、前記第２のスイッチ素子と直列に接続され、前記接続点から前記第２の電源へ電流が流れることを防止する第２のダイオードと、
を有することを特徴とする請求項１記載の電力供給回路。
【請求項６】
前記第２のスイッチ素子は、電界効果トランジスタで構成され、そのソース端子が前記第２の電源側に接続され、ドレイン端子が前記接続点側に接続されることを特徴とする請求項５記載の電力供給回路。
【請求項７】
前記機器が前記通常電力モードで動作するとき、前記制御手段は前記第２の電源から前記制御手段への電力供給を停止させることを特徴とする請求項１〜６のいずれか１項に記載の電力供給回路。
【発明の詳細な説明】
【技術分野】
【０００１】
本発明は、電力供給能力の異なる複数の電源を有する電力供給回路に関するものである。
【背景技術】
【０００２】
近年、画像形成製装置の省エネルギー化が進み、画像形成動作時等の通常電力モードにおける電力低減だけでなく、省電力モード時の電力低減も非常に重要な課題となっている。そこで、従来の電源回路は、例えば図５のような構成がとられていた（特許文献１）。
【０００３】
図５では、例えば省電力モード用の電源３１０と、通常電力モード用の電源３２０の両方を備えている。省電力用の電源３１０は出力が数ワットのときに高効率で電力供給をするよう構成される。通常電力モード用の主電源３２０は、出力が数百ワットのときに高効率で電力供給をするよう構成される。そしてコントローラ１０１がこれら複数の電源を、画像形成装置の状態に応じて選択的に切り替えて使用している。
【０００４】
具体的には、省電力モードでは省電力電源３１０からシステムコントローラ１０１に電力が供給され、通常動作時では主電源３２０からシステムコントローラ１０１に電力が供給される。
【０００５】
図５の回路の動作について以下に説明する。省電力モード時では、システムコントローラ１０１が制御信号Ｓ１をＨｉ状態に設定し、これにより第１のスイッチ素子３１２がオン状態となる。また、このときシステムコントローラ１０１が制御信号Ｓ３によりリレー３０１を遮断させ、主電源をオフ状態にしている。またシステムコントローラ１０１は、制御信号Ｓ２をＬｏｗは状態に設定し、第２のスイッチ素子３２２もオフさせている。このようにして、省電力モードでは省電力電源３１０の出力ｖｃｃ１がシステムコントローラ１０１へ供給されるとともに、その他の電源がオフ状態になり電力の低減が図られている。
【０００６】
また省電力モードから通常電力モードに移行する際には、システムコントローラ１０１は制御信号Ｓ３によりリレー３０１をオンして主電源３２０を起動させた後、さらに制御信号Ｓ２をＨｉに設定し、第２のスイッチ素子３２２をオンする。これにより、主電源からの出力がシステムコントローラ１０１に供給される。その後、システムコントローラ１０１は制御信号Ｓ１をＬｏｗに設定し、第１のスイッチ素子３１２をオフして、省電力電源からシステムコントローラ１０１への電力供給を停止する。このようにして、通常電力モードでは主電源の出力Ｖｃｃ２がシステムコントローラ１０１へ供給されるようにしている。
【０００７】
図５の様に、複数の電源の出力同士を接続して電力供給する電源構成においては、その電源のうちのいずれかの電源をオン状態にし、他の電源をオフ状態にさせると、オン状態にある電源からオフ状態にある電源へ電流が流れ込んでしまう。従って、図５に示すように、電源の出力と直列にダイオード３１７，３２７をそれぞれ接続し、それらダイオードのカソードどうし接続するように回路を構成することで、オフ状態にある電源へ電流が流れ込むことを防止していた。
【先行技術文献】
【特許文献】
【０００８】
【特許文献１】特開２０１０−１０４６５３号公報
【発明の概要】
【発明が解決しようとする課題】
【０００９】
しかしながら、従来のように電源出力をダイオードを介して負荷に電力を供給する回路構成においては、ダイオードの両端に発生する電圧降下による電力損失が避けられない。
【００１０】
具体的には、画像形成装置が省電力モードから通常電力モードに移行した後に、システムコントローラ１０１の消費電流が多くなると、ダイオード３２７における電圧降下が大きくなる。そのため、システムコントローラ１０１に入力される電源電圧が、システムコントローラ１０１の動作保障に必要な最小電圧よりも下回ってしまう虞がある。あらかじめ主電源３２０の出力電圧を高く設定してしまうと、システムコントローラ１０１の消費電流が少ないときはダイオード３２７での電圧降下も小さくなってしまう。そのため、システムコントローラ１０１に入力される電源電圧がシステムコントローラ１０１の動作保証に必要な最大電圧よりも上回ってしまう虞がある。
【００１１】
このように、システムコントローラ１０１の消費電流の変動幅が大きくなるほど、システムコントローラ１０１の動作保証の最小電圧と最大電圧との両方の規格を満足することが困難となってしまう。
【課題を解決するための手段】
【００１２】
上記の課題を解決するために、本発明の電力供給回路は、通常電力モードと、前記通常電力モードよりも消費電力が小さい省電力モードとで動作する機器の電力供給回路であって、前記機器が前記通常電力モードで動作するときに前記機器へ電力を供給する第１の電源と、前記第１の電源よりも電力供給能力が低く、前記第１の電源に並列に接続され、少なくとも前記機器が前記省電力モードで動作するときに、前記機器へ電力供給する第２の電源と、前記第１の電源からの電力と前記第２の電源からの電力とが共通の接続点を介して供給される制御手段と、前記第１の電源と前記接続点との間に接続され、前記制御手段へ供給される電力を制御するスイッチ素子と、を備え、前記スイッチ素子は、そのソース端子とドレイン端子の間にダイオードを有し、前記接続点から前記第１の電源の方向へ電流が流れること防止するように前記スイッチ素子のドレイン端子が前記第１の電源側に接続され、前記スイッチ素子のソース端子が前記接続点側に接続されることを特徴とする。
【発明の効果】
【００１３】
本発明によれば、画像形成装置の制御装置の消費電流の変動に拘わらず、簡易な構成で電源から供給される電力の電圧降下を少なくし、制御装置に必要な範囲の電圧を供給できる。
【図面の簡単な説明】
【００１４】
【図１】画像形成装置の構成を示す断面図
【図２】画像形成装置の制御系を示すブロック図
【図３】電力供給回路の構成を示す図
【図４】制御フローチャートを示す図
【図５】従来の電力供給回路の構成を示す図
【図６】電源オフ時の電力供給回路の状態を示す図
【図７】通常電力モード時の電力供給回路の状態を示す図
【図８】省電力モード時の電力供給回路の状態を示す図
【発明を実施するための形態】
【００１５】
図１は、本発明の実施形態における画像形成装置の全体構成を示す概略断面図である。本実施形態の画像形成装置は、電子写真方式のカラー複写機である。尚、後述するように、画像形成装置は通常電力モードと省電力モードとで動作する機器の一例である。
【００１６】
画像形成装置１は、画像読取部１Ｒと、画像出力部１Ｐとを有する。画像読取部１Ｒは、原稿画像を光学的に読み取り、電気信号に変換して画像出力部１Ｐに送信する。画像出力部１Ｐは、４つの画像形成部１０（１０ａ、１０ｂ、１０ｃ、１０ｄ）と、給紙ユニット２０（２１ａ、２１ｂ、２７）と、中間転写ユニット３０と、定着ユニット４０と、クリーニングユニット５０とを有する。
【００１７】
画像形成部１０は、周知の電子写真方法で、イエロー、マゼンタ、シアン、ブラックのトナー像を形成する。各色のトナー像は中間転写体３１に重ねて転写される。給紙ユニット２０からシートＰが給紙され、中間転写体３１上のトナー像が転写ユニット３０によりシートＰに転写される。トナー像が転写されたシートＰは、定着ユニット４０でトナー像が定着され、その後排紙トレイ４８に排紙される。
【００１８】
次に、図２を用いて画像形成装置１の制御系について説明する。画像形成装置１は、システムコントローラ１０１内のＣＰＵ１０１ａによって統括的にコントロールされる。ＣＰＵ１０１ａは、主に本装置内の各負荷の駆動、センサ類の情報収集解析、そして操作部１０２即ちユーザインターフェースとのデータの交換の役割を担っている。また、ＣＰＵ１０１ａにはＲＯＭ１０１ｂ、ＲＡＭ１０１ｃ、タイマー部１０１ｄが接続されている。
【００１９】
ＲＯＭ１０１ｂにはプログラムが格納されており、ＣＰＵ１０１ａは、プログラムに従って画像形成シーケンスに纏わる様々なシーケンスを実行する。ＲＡＭ１０１ｃは、その際に一次的または恒久的に保存することが必要な書換可能なデータを格納する役割を担っている。なおＲＡＭ１０１ｃには、例えば後述する高圧制御部１０５への高圧設定値、後述する各種データ、操作部１０２からの画像形成指令情報などを保存する。タイマー部１０１ｄは、後述するレジストレーション補正用のパターンの間隔の計測や、画像書き出しタイミングのカウント等を行うために複数のタイマーから構成されている。
【００２０】
本装置は、装置内部の各所にモータ、クラッチ／ソレノイド等の直流電圧により動作するＤＣ負荷及び、フォトインターラプターやマイクロ電源スイッチ等のセンサを配置している。つまり、システムコントローラ１０１はモータの駆動や各ＤＣ負荷を適宜駆動させることで、転写材の搬送や各ユニットの駆動を行っており、センサ類１０９がその動作を監視している。
【００２１】
システムコントローラ１０１は、センサ類１０９からの信号をもとに、モータ制御部１０７により各モータをコントロールし、ＤＣ負荷制御部１０８により、クラッチ／ソレノイドを動作させて画像形成動作を円滑に進めている。また、システムコントローラ１０１は高圧制御部１０５に各種高圧制御信号を送出することで、高圧ユニット１０６を構成する各種帯電器に適切な高圧を印可させている。定着ユニット４０には、定着ローラ４１を加熱するためのヒータ１１１が内蔵されており、そのヒータはＡＣドライバ１１０によってオン／オフ制御されている。また、定着ローラ４１表面にはその温度を測定するためのサーミスタ１０４が設けられ、サーミスタ１０４の出力がＡ／Ｄ変換器１０３によってデジタル信号に変換され、デジタル値としてシステムコントローラ１０１に入力される。システムコントローラ１０１は、このデジタル値に基づいて定着ローラ４１の温度を検出し、前述のＡＣドライバ１１０を制御する。
【００２２】
またシステムコントローラ１０１には、ハードディスク１１２が接続されている。このハードディスク１１２には、画像読取部１Ｒから送信された画像データを保存したり、また操作部１０２からの操作により、ハードディスク１１２に保存されたデータを読み出してプリントする処理を行う。
【００２３】
操作部１０２は、ユーザにより複写倍率、濃度設定値などの情報を設定することに加えて、画像形成装置の状態、例えば画像形成枚数や画像形成中か否かの情報、ジャムの発生やその箇所等をユーザに示すためのデータを送出している。
【００２４】
図３は本実施形態の画像形成装置における電力供給回路の構成を示す図である。
【００２５】
電力供給回路は、主にメインスイッチ３００、省電力電源３１０、主電源３２０、システムコントローラ１０１、リレー３０１および、第１のスイッチ素子３１２、第２のスイッチ素子３２２から構成されている。抵抗３１４、３１５および、３２４、３２５は第１のスイッチ素子および第２のスイッチ素子の動作に必要なバイアス電圧をゲート及びソースにかける働きをする。コンデンサ３１３および３２３は第１のスイッチ素子および第２のスイッチ素子のオン動作およびオフ動作のタイミングを決定する働きをする。またトランジスタ３１６および３２６は第１のスイッチ素子３１２および第２のスイッチ素子３２２のバイアス電圧を変化させて、第１のスイッチ素子３１２および第２のスイッチ素子３２２をオンまたはオフさせる働きをする。メインスイッチ３００は、画像形成装置１の電源を手動でオンオフさせるための電源スイッチの機能を有している。なお、これら部品の種類および数量はこの回路構成に限定されるものではなく、装置の都合に応じて適宜に選定し配置して構わない。
【００２６】
システムコントローラ１０１は前述の通り画像形成装置１の各種制御および、画像形成装置のモードに応じて電源の切り替え制御を行う。リレー３０１は商用交流電源３５０から第１の電源としての主電源３２０までの電源経路を接続または遮断する。第１のスイッチ素子３１２は、第２の電源としての省電力電源３１０からの出力をシステムコントローラ１０１へ供給させるか否かを切り替える。第２のスイッチ素子３２２は、主電源３２０からの出力をシステムコントローラ１０１へ供給させるか否かを切り替える。主電源３２０の出力と省電力電源３１０の出力は共通の接続点３０３で接続され、システムコントローラ１０１へ供給される。
【００２７】
主電源３２０の電力供給能力は２００Ｗ程度である。また主電源３２０よりも電力供給能力の低い省電力電源３１０の電力供給能力は１Ｗ程度である。主電源３２０と省電力電源３１０とは独立したユニットとして構成しても良いし、または一体型のユニットとして構成しても良い。ただし主電源３２０のＡＣ入力部は、省電力電源３１０と共通なＡＣ入力部に対して、リレー３０１のような何らかの遮断手段を１つ以上設けることが必要である。
【００２８】
画像形成装置１の電力モードが省電力モードになっているときには、省電力電源３１０からシステムコントローラ１０１に電力が供給され、電力モードが通常動作モードになっているときには、主電源３２０からシステムコントローラ１０１に電力が供給される。
【００２９】
電力供給回路の動作について以下に説明する。省電力モード時では、システムコントローラ１０１が制御信号Ｓ１をＨｉ状態に設定し、これにより第１のスイッチ素子３１２がオン状態となる。このときシステムコントローラ１０１は制御信号Ｓ３によりリレー３０１を遮断させ、主電源３２０をオフ状態にしている。またシステムコントローラ１０１は制御信号Ｓ２をＬｏｗ状態に設定し、第２のスイッチ素子３２２もオフさせている。このようにして、省電力モード時では省電力電源３１０の出力ｖｃｃ１がシステムコントローラ１０１へ供給されるとともに、その他の電源をオフ状態にして装置全体での消費電力の低減を行っている。
【００３０】
画像形成装置の電力モードが省電力モードから通常電力モードに移行する際には、システムコントローラ１０１は制御信号Ｓ３によりリレー３０１をオンさせ、主電源３２０を起動させる。その後、システムコントローラ１０１は、制御信号Ｓ２をＨｉに設定し、第２のスイッチ素子３２２をオンさせ、主電源３２０から電力がシステムコントローラ１０１に供給されるようにする。その後、システムコントローラ１０１は、制御信号Ｓ１をＬｏｗに設定し、第１のスイッチ素子３１２をオフさせて、省電力電源３１０からシステムコントローラ１０１への電力供給を停止させる。なおシステムコントローラ１０１への電力供給源が主電源３２０に切り替わった後に、システムコントローラ１０１の各種処理動作が開始されるように動作タイミングを定めている。このようにして省電力モードから通常電力モードの移行期間においても安定して電力が供給され、また通常電力モードには主電源３２０の出力Ｖｃｃ２がシステムコントローラ１０１へ供給され続ける。
【００３１】
画像形成装置の電力モードが通常電力モードから省電力モードに移行する際には、システムコントローラ１０１は、自身の各種処理動作を終了させる。そしてシステムコントローラ１０１の消費電力が省電力電源３１０で供給可能な電力まで下がった後に、システムコントローラ１０１は制御信号Ｓ１をＨｉ状態に設定し、第１のスイッチ素子３１２をオンする。これにより、省電力電源からシステムコントローラ１０１へ電源が供給できる状態になる。その後、システムコントローラ１０１は制御信号Ｓ２をＬｏｗ状態に設定して第２のスイッチ素子３２２をオフする。また、システムコントローラ１０１は、制御信号Ｓ２をＬｏｗ状態にするのと同時或いは、少し後に制御信号Ｓ３によりリレー３０１をオフさせて、主電源３２０からシステムコントローラ１０１への電力供給を停止させる。このようにして通常電力モードから省電力モードの移行期間においても安定して電力が供給され、また省電力モードでは前述の通りに省電力電源３１０の出力Ｖｃｃ１がシステムコントローラ１０１へ供給され続ける。
【００３２】
ところで、複数の電源の出力を接続して何れかの電源から電力供給を行う場合には、オン状態にある電源からオフ状態にある電源へ電流が流れ込まないように回路を対策する必要がある。例えば、図３の回路においては、第１のスイッチ素子３１２および第２のスイッチ素子３２２としてＰチャネル型の電界効果トランジスタを用いている。この電界効果トランジスタをオフ状態にした場合、電界効果トランジスタ内部において、チャネルと並列に配置されたボディーダイオードによって、ドレイン端子からソース端子へ電流を流す経路が存在する。すなわち、省電力電源３１０がオン、主電源３２０がオフの状態において、第２のスイッチ素子３２２をオフした場合にも、第２のスイッチ素子３２２である電界効果トランジスタのボディーダイオードを経由して主電源３２０に電流が流れ込んでしまう。そこで従来の構成においては図５に示すように、省電力電源３１０および主電源３２０から負荷側に向けて直列に、それぞれダイオード３１７および３２７を接続して電源側へ電流が流れこむことを防いでいた。
【００３３】
ここで省電力モードにおいては、システムコントローラ１０１の消費電流および消費電流の変動量も小さい。従って、ダイオード３１７による電圧降下および電圧降下の変動量も小さくなる。
【００３４】
しかしながら通常電力モードにおいては、システムコントローラ１０１の消費電流および消費電流の変動量も大きくなる。従って、ダイオード３２７による電圧降下およびその変動量も大きくなり、主電源３２０からシステムコントローラ１０１に供給される電圧が、システムコントローラに要求される入力電圧範囲を満たさないこともある。
【００３５】
そこで、本実施形態では、主電源３２０に接続される第２のスイッチ素子３２２の接続形態を、省電力電源３１０に接続されている第１のスイッチ素子３１２の接続形態とは逆向きにしている。即ち、第２のスイッチ素子３２２のドレイン端子を主電源側に接続し、ソース端子を接続点３０３側（負荷側）に接続する。また、省電力電源３１０に接続されている第１のスイッチ素子３１２のソース端子を省電力電源側に接続し、ドレイン端子を接続点３０３側（負荷側）に接続する。
【００３６】
これにより、電界効果トランジスタのチャネルと並列に存在するボディーダイオード（第２のダイオード）は、主電源３２０へ電流が流れ込まない方向になるため、従来設けていた直列のダイオード３２７（図５）を削除することが出来る。
【００３７】
このことにより、通常電力モードにおいてシステムコントローラ１０１の消費電流が大きく増加しても、従来の様なダイオードでの電圧降下がないために、システムコントローラ１０１に要求される入力電圧を満足できるようになる。
【００３８】
また、省電力モード状態においては、既に動作している省電力電源３１０から、第１のスイッチ素子３１２のソース端子、ドレイン端子およびダイオード３１７を経由して第２のスイッチ素子３２２のソース端子とゲート端子との間にバイアス電圧が印加される。
【００３９】
また通常電力モード状態においては、主電源３２０から第２のスイッチ素子３２２のドレイン端子、ソース端子を経由して、第２のスイッチ素子３２２のソースとゲートの間にバイアス電圧が印加される。従って、第２のスイッチ素子３２２はいずれの電力モードでも安定して動作可能となる。
【００４０】
なお、第１のスイッチ素子３１２に内蔵されるボディーダイオードを経由して、主電源３２０から省電力電源３１０に電流が流れ込まないようにするために、従来と同様にダイオード３１７を第１のスイッチ素子３１２と直列に接続する。なお前述のように、省電力モードにおけるシステムコントローラ１０１の消費電流および消費電流の変動量は小さいため、このダイオード３１７による電圧降下は問題とならない。またダイオード３１７は第１のスイッチ素子３１２の下流側に配置しているが、これを第１のスイッチ素子３１２の上流側に配置しても構わない。
【００４１】
なおシステムコントローラ１０１への電源供給を遮断することによって、さらに電力を低減させる必要がある場合について図６および、図７、図８を用いて説明する。
【００４２】
図６は画像形成装置１のモードが電源オフである時の各信号および各負荷の状態を説明する図である。
【００４３】
電源オフのモードにおいては、システムコントローラ１０１への電源供給が遮断されている。そのためシステムコントローラは制御信号Ｓ１およびＳ２、Ｓ３の何れも出力できず、また第１のスイッチ素子３１２および第２のスイッチ素子３２２、リレー３０１をオン状態にすることもできない。従って、画像形成装置を電源オフモードから復帰させることができるのは、ユーザによってメインスイッチ３００が手動でオンされる場合のみである。
【００４４】
続いて図７を用いて画像形成装置１のモードが通常電力モードであるときの各信号および各負荷の状態について説明する。メインスイッチ３００がオンされると、省電力電源３１０の出力Ｖｃｃ１がメインスイッチを通ってトランジスタ３１６のベース端子に印加されて、トランジスタ３１６がオンする。このことによって第１のスイッチ素子３１２がオンして、システムコントローラ１０１にも省電力電源３１０の出力Ｖｃｃ１が供給される。
【００４５】
システムコントローラ１０１が起動すると、システムコントローラ１０１は、制御信号Ｓ１をオン（Ｈｉ状態）に設定する。これにより、メインスイッチ３００の状態とは関係なく、第１のスイッチ素子３１２のオン状態が持続される。続いてシステムコントローラ１０１は、制御信号Ｓ３をオン（Ｈｉ状態）に設定してリレー３０１をオンさせ、主電源３２０をオンさせる。その後、システムコントローラ１０１は、制御信号Ｓ２をオン（Ｈｉ状態）に設定し、第２のスイッチ素子３２２をオンさせる。これにより、主電源３２０から電力がシステムコントローラ１０１に供給される。その後、システムコントローラ１０１は、制御信号Ｓ１をオフ（Ｌｏｗ状態）に設定し、第１のスイッチ素子３１２をオフさせて、省電力電源３１０からシステムコントローラ１０１への電力供給を停止させる。このようにして通常電力モードでは主電源３２０の出力Ｖｃｃ２がシステムコントローラ１０１へ供給され続ける。
【００４６】
図８を用いて、画像形成装置１のモードが省電力モードのときの各信号および各負荷の状態について説明する。なお通常電力モードから省電力モードに移行する際のシーケンスについては前述の通りであるため割愛する。省電力モード状態においては、システムコントローラ１０１は、制御信号Ｓ１をオン（Ｈｉ状態）に設定して第１のスイッチ素子３１２をオンさせている。また、システムコントローラ１０１は、制御信号Ｓ２および制御信号Ｓ３はオフ（Ｌｏｗ状態）に設定してリレー３０１、主電源３２０および第２のスイッチ素子３２２をオフさせている。このようにして省電力モードでは省電力電源３１０の出力Ｖｃｃ１がシステムコントローラ１０１へ供給され続ける。
【００４７】
なお、何れの電力モードでも、メインスイッチ３００がオフされたことを検知すると、システムコントローラ１０１は自身の各種処理動作を終了させた後に制御信号Ｓ１、制御信号Ｓ２および制御信号Ｓ３をオフ（Ｌｏｗ状態）に設定して電源オフ状態に移行する。
【００４８】
図４に画像形成装置１における電力制御のフローチャートを示す。なお以下に述べるフローチャートは、システムコントローラ１０１上のＣＰＵ１０１ａによって統括的に制御されるものである。
【００４９】
電力モードが省電力モードであるとき、ＣＰＵ１０１ａは、省電力モードからの復帰要求があるか否か、すなわち操作部１０２等からプリントジョブやスキャンジョブ等が投入されているか否かを判断する（Ｓ５０１０）。なお、省電力モードにおいては、前述したように、制御信号Ｓ１により第１のスイッチ素子３１２がオンしており、省電力電源３１０の出力ｖｃｃ１がシステムコントローラ１０１へ供給されている。また制御信号Ｓ３によりリレー３０１が遮断しており、交流電源３５０から主電源３２０への交流電圧の供給が遮断され、主電源がオフ状態になっているとともに、制御信号Ｓ２により第２のスイッチ素子３２２もオフしている。
【００５０】
印刷ジョブが投入され省電力状態から通常電力モードへ復帰する必要があると、ＣＰＵ１０１ａは、制御信号Ｓ３により主電源３２０をオンさせる（Ｓ５０２０）。
【００５１】
主電源３２０がオンして出力が安定した後に、ＣＰＵ１０１ａは、制御信号Ｓ２により第２のスイッチ素子３２２をオンさせて、主電源３２０をオンさせる（Ｓ５０３０）。
【００５２】
その後、ＣＰＵ１０１ａは、制御信号Ｓ１により第１のスイッチ素子３１２をオフさせて、省電力電源３１０からシステムコントローラ１０１への電力供給を停止させる（Ｓ５０４０）。
【００５３】
その後、ＣＰＵ１０１ａは、システムコントローラ１０１への電源供給源が主電源３２０に切り替わった後のタイミングにおいて、投入されたジョブに対する各種の処理動作を開始する（Ｓ５０５０）。
【００５４】
ＣＰＵ１０１ａは、投入されたジョブが終了したかどうかを判断し（Ｓ５０６０）、ジョブが終了した場合には続いて省電力モードへの移行条件を満たしているか否かを判断する（Ｓ５０７０）。なお省電力モードへの移行条件は、ジョブ終了から所定時間ジョブの入力がなかったり、画像形成装置１の操作部１０２の操作がなされないこと、及び操作部１０２から省電力モードへの移行指示の入力がなされることである。なお、所定時間は操作部１０２からユーザの所望の時間に設定される。
【００５５】
省電力モードへの移行条件を満たしていなければ、ＣＰＵ１０１ａは、新たにジョブが投入されたか否かを判断し（Ｓ５０８０）、ジョブが投入されれば、そのジョブ処理を行い（Ｓ５０５０）、またジョブが投入されなければＳ５０７０に戻る。
【００５６】
省電力モードへの移行条件を満たすと、ＣＰＵ１０１ａは、省電力モードへ移行するために各種処理動作を終了させる。即ち、ＣＰＵ１０１ａは、制御信号Ｓ１により第１のスイッチ素子３１２をオンさせて、省電力電源３１０からシステムコントローラ１０１へ電力供給できる状態にする（Ｓ５０９０）。
【００５７】
その後、ＣＰＵ１０１ａは、制御信号Ｓ２により第２のスイッチ素子３２２をオフさせ（Ｓ５１００）、更に制御信号Ｓ３によりリレー３０１をオフさせて、主電源３２０からシステムコントローラ１０１への電力供給を停止させる（Ｓ５１１０）。
【００５８】
以上の様に、本実施形態によれば、通常電力モード中に主電源３２０からシステムコントローラに供給される電力の損失を極力防止し、システムコントローラの１０１の消費電流が大きいときでも、動作に必要な電源電圧を維持することができる。
【００５９】
図３の回路において、第１スイッチ素子３１２を第２スイッチ素子３２２と同様に、ドレイン端子が省電力電源３１０側に、ソース端子が接続点３０３側になるように配置し、ダイオード３１７を省略した構成とすることも考えられる。しかし、そのような構成の場合、画像形成装置１が電源オフモードに移行しても、ＦＥＴの内蔵ダイオードを経由して常にシステムコントローラ１０１へ電力が供給されてしまう。このような無駄な電力消費を無くすために、本実施形態では、図３のような構成としている。
【符号の説明】
【００６０】
１  画像形成装置
１０２  操作部
３０１  リレー
３１０  省電力電源
３１２  第１のスイッチ素子
３１７  ダイオード
３２０  主電源
３２２  第２のスイッチ素子
【図１】
2014131466.tif 000003
【図２】
2014131466.tif 000004
【図３】
2014131466.tif 000005
【図４】
2014131466.tif 000006
【図５】
2014131466.tif 000007
【図６】
2014131466.tif 000008
【図７】
2014131466.tif 000009
【図８】
2014131466.tif 000010